(57)【特許請求の範囲】
【請求項１】
シースルー頭部装着型装置の装用者のためのナビゲーション方法であって、
−  装用者視覚化パラメータ提供ステップであって、前記装用者の眼の状態に関係した少なくとも１つの装用者視覚化パラメータが提供されるステップと、
−  ジオ位置判定ステップであって、ルートに沿った前記装用者のジオ位置が判定されるステップと、
−  ジオ位置比較ステップであって、前記ジオ位置判定ステップにおいて判定された前記装用者の前記ジオ位置が、前記ルートに沿った保存されているジオ位置と比較されるステップと、
−  ナビゲーション視覚支援機能適合ステップであって、前記装用者の前記ジオ位置が前記保存されているジオ位置のうちの１つとマッチングした際に、ナビゲーション視覚支援機能が前記装用者視覚化パラメータと前記装用者の前記ジオ位置との両方に基づいて適合されるステップとを有し、
−  ナビゲーション視覚支援は、前記シースルー頭部装着型装置によって提供され、
−  装用者識別子と装用者視覚パラメータとの間の関連付けをデータベース内において事前登録するステップを更に有する、方法。
【請求項２】
前記頭部装着型装置は、表示装置を有し、且つ、前記ナビゲーション視覚支援機能適合ステップは、
−  処理済み画像選択ステップであって、前記装用者の前記ジオ位置が前記保存されているジオ位置のうちの１つとマッチングした際に、前記装用者の前記ジオ位置にマッチングした前記保存されているジオ位置と関連付けられた処理済みの画像のうちの少なくとも１つが、前記装用者視覚化パラメータに従って選択されるステップと、
−  表示ステップであって、前記装用者の視覚環境の前記処理済みの画像が、シースルー頭部装着型表示装置により、前記装用者に対して表示されるステップと
を更に有する請求項１に記載のナビゲーション方法。
【請求項３】
前記頭部装着型装置は、表示装置と、前記装用者の視覚環境の画像を取得するように適合されたカメラとを有し、且つ、前記ナビゲーション視覚支援機能適合ステップは、
−  画像取得ステップであって、前記装用者の前記視覚環境の少なくとも１つの画像が、前記カメラによって取得されるステップと、
−  画像処理選択ステップであって、前記装用者の前記ジオ位置が前記保存されているジオ位置のうちの１つとマッチングした際に、前記装用者の前記ジオ位置にマッチングした前記保存されているジオ位置と関連付けられた画像処理のうちの少なくとも１つが、前記装用者視覚化パラメータに従って選択されるステップと、
−  画像処理ステップであって、前記画像取得ステップにおいて取得された前記視覚環境の前記画像が、画像処理選択ステップにおいて選択された前記画像処理に従って処理されるステップと、
−  表示ステップであって、前記視覚環境の処理済みの画像が、シースルー頭部装着型表示装置により、前記装用者に対して表示されるステップと
を更に有する請求項１又は２に記載のナビゲーション方法。
【請求項４】
前記ナビゲーション視覚支援機能適合ステップは、
−  画像要素識別ステップであって、前記装用者の前記視覚環境の前記画像が、予め定義された要素リスト内において列挙されている少なくとも１つの予め定義された要素を識別するべく分析され、前記予め定義された要素のそれぞれは、少なくとも１つの画像処理と関連付けられているステップを更に有し、及び
−  前記画像処理選択ステップにおいて、前記予め定義された要素リスト内において列挙されている前記予め定義された要素のうちの１つに対応する前記装用者の前記視覚環境の前記画像の要素を識別する際に、前記装用者の前記視覚環境の前記画像内において識別された前記予め定義された要素と関連付けられた画像処理が選択される請求項３に記載のナビゲーション方法。
【請求項５】
−  視覚環境パラメータ判定ステップであって、少なくとも１つの視覚環境パラメータが判定されるステップを更に有し、及び
−  前記画像処理選択ステップにおいて、前記画像処理が、前記視覚環境パラメータに従って選択され、且つ／又は、前記処理済み画像選択ステップにおいて、前記処理済みの画像が、前記視覚環境パラメータに従って選択される請求項３又は４に記載のナビゲーション方法。
【請求項６】
−  送信ステップであって、前記ジオ位置が、少なくとも１つの画像処理と関連付けられた保存されているジオ位置と比較されるべく、離れたエンティティに送信されるステップと、
−  受信ステップであって、前記選択された画像処理及び／又は前記処理済みの画像が、離れたエンティティから受信されるステップと
を更に有する請求項３〜５のいずれか一項に記載のナビゲーション方法。
【請求項７】
−  送信ステップであって、前記ジオ位置が、少なくとも１つの画像処理と関連付けられた保存されているジオ位置と比較されるべく、離れたエンティティに送信され、且つ、前記装用者の前記視覚環境の前記取得された画像が、前記ジオ位置と関連付けられた前記画像処理に基づいて処理されるべく、前記離れたエンティティに送信されるステップと、
−  受信ステップであって、前記処理済みの画像が、離れたエンティティから受信されるステップと
を更に有する請求項３〜５のいずれか一項に記載のナビゲーション方法。
【請求項８】
前記装用者の前記ジオ位置に基づいて、前記視覚環境の前記処理済みの画像に基づく補完的な視覚情報を表示するステップを更に有する請求項２〜７のいずれか一項に記載のナビゲーション方法。
【請求項９】
前記頭部装着型表示装置は、能動的機能と、前記能動的機能を制御するように構成された制御ユニットとを有し、且つ、前記能動的機能は、前記ナビゲーション視覚支援機能適合ステップにおいて適合される請求項１〜８のいずれか一項に記載のナビゲーション方法。
【請求項１０】
前記装用者視覚化パラメータのうちの少なくとも１つは、前記装用者識別子との関連において、ネットワークを介して前記頭部装着型装置に接続されたサーバー上の装用者データベース内に保存される請求項１〜９のいずれか一項に記載のナビゲーション方法。
【請求項１１】
少なくともルートをデータベース内において事前登録する予備的ステップを更に有し、前記予備的ステップは、
−  関連付けステップであって、前記ジオ位置判定ステップにおいて判定された前記ルートに沿ったジオ位置が、少なくとも１つのナビゲーション視覚支援機能変更と関連付けられるサブステップと、
−  保存ステップであって、前記ジオ位置及び前記関連付けられた少なくとも１つのナビゲーション視覚支援機能変更が保存されるサブステップと
を有する請求項１〜１０のいずれか一項に記載のナビゲーション方法。
【請求項１２】
前記予備的ステップは、
−  画像取得ステップであって、前記装用者の視覚環境の少なくとも１つの画像がカメラによって取得されるステップと、
−  画像処理選択ステップであって、画像処理のうちの少なくとも１つが、前記装用者視覚化パラメータに従って選択されるステップと、
−  画像処理ステップであって、前記画像取得ステップにおいて取得された前記視覚環境の前記画像が、画像処理選択ステップにおいて選択された前記画像処理に従って処理されるステップと
を更に有し、及び
−  前記関連付けステップにおいて、処理済みの画像は、前記ジオ位置と関連付けられる請求項１１に記載のナビゲーション方法。
【請求項１３】
前記予備的ステップは、
−  画像選択ステップであって、少なくとも１つの画像が選択されるステップと、
−  画像処理選択ステップであって、画像処理の少なくとも１つが、前記装用者視覚化パラメータに従って選択されるステップと、
−  画像処理ステップであって、前記選択された画像が、画像処理選択ステップにおいて選択された前記画像処理に従って処理されるステップと
を更に有し、及び
−  前記関連付けステップにおいて、処理済みの画像は、前記ジオ位置と関連付けられる請求項１１に記載のナビゲーション方法。
【請求項１４】
ナビゲーション視覚支援機能変更データは、任意選択により、アクセス権限に従って、装用者識別子に従って定義される請求項１〜１３のいずれか一項に記載のナビゲーション方法。
【請求項１５】
前記関連付けステップは、前記装用者によって実行される請求項１１〜１３のいずれか一項に記載のナビゲーション方法。
【請求項１６】
前記ジオ位置比較ステップの前に、受信ステップであって、ナビゲーション視覚支援機能変更と関連付けられた前記保存されているジオ位置が、離れたエンティティから受信され、且つ、保存されるステップを更に有する請求項１〜１５のいずれか一項に記載のナビゲーション方法。
【請求項１７】
プロセッサからアクセス可能であると共に、前記プロセッサによって実行される際に前記プロセッサに請求項１〜１６のいずれか一項に記載のステップを実行させる命令の１つ又は複数の保存されたシーケンスを有するコンピュータプログラム。
【請求項１８】
プログラムを記録し、前記プログラムは、請求項１〜１６に記載の方法をコンピュータに実行させるコンピュータ可読記憶媒体。
【発明の詳細な説明】
【技術分野】
【０００１】
本発明は、シースルー頭部装着型装置の装用者のためのナビゲーション方法と、プロセッサによって実行される際にプロセッサに本発明の視覚支援ガイダンスナビゲーション方法のステップを実行させる命令を有するコンピュータプログラムと、コンピュータプログラムの命令を保持するコンピュータ可読媒体とに関する。
【背景技術】
【０００２】
例えば、ＧＰＳ技術に基づいたナビゲーション装置が周知である。このような装置は、通常は、表示画面上において視覚情報を提供すると共に、通常は、オーディオ情報を提供する。
【０００３】
ユーザーに対して提供される情報は、装用者の位置と、ユーザーによって規定された「行き先」地点とに基づいたものである。装置は、保存されている地図及びユーザーパラメータに基づいてルートを算出し、且つ、ユーザーに対してガイダンスナビゲーションを提供する。
【０００４】
このような装置は、弱視のユーザーに対して、或いは、更に一般的には、眼科欠陥を有するユーザーに対して、適合されてはいない。
【０００５】
このような装置を使用した眼科欠陥を有するユーザーの移動は、困難であり、ルートの誤りが増加し、且つ、移動時間が長くなる。
【０００６】
従って、眼科欠陥を有するユーザー対して、特に視覚欠陥を有するユーザーに対して、適合された視覚支援ガイダンスナビゲーション方法を提供することが望ましい。
【０００７】
装用者の視覚的快適性を改善するべく、装用者に対して特別に適合されたカスタマイズされた方法で画像及びテキストが表示される視覚支援ガイダンスナビゲーション方法を提供することが望ましい。
【０００８】
更には、ユーザーナビゲーションを最適化すると共に眼科欠陥を有するユーザーの移動を合理化する視覚支援ガイダンスナビゲーション方法を提供することが望ましい。
【発明の概要】
【発明が解決しようとする課題】
【０００９】
本発明の目的は、このような方法を提供することである。
【課題を解決するための手段】
【００１０】
本発明は、一般的には、頭部装着型装置を伴う視覚支援ガイダンスナビゲーション用の方法及びシステムを提供し、この場合に、装用者に固有の視覚化パラメータを考慮することにより、ナビゲーションのカスタマイズが実現されている。このような視覚化パラメータは、装用者の処方データなどの装用者の眼科データに関係したパラメータを含む。
【００１１】
本発明によれば、装用者に固有の視覚化パラメータを考慮することにより、装用者の視覚的経験及びナビゲーションの品質を改善することができる。
【００１２】
これを目的として、本発明は、シースルー頭部装着型装置の装用者のためのナビゲーション方法を提案し、方法は、
−  装用者視覚化パラメータ提供ステップであって、少なくとも１つの装用者視覚化パラメータが提供されるステップと、
−  ジオ位置判定ステップであって、ルートに沿った装用者のジオ位置（ｇｅｏ−ｐｏｓｉｔｉｏｎ）が判定されるステップと、
−  ジオ位置比較ステップであって、ジオ位置判定ステップにおいて判定された装用者のジオ位置が、ルートに沿った保存されているジオ位置と比較されるステップと、
−  ナビゲーション視覚支援機能適合ステップであって、装用者のジオ位置が保存されているジオ位置のうちの１つとマッチングした際に、特に、装用者のガイダンスを促進するべく、ナビゲーション視覚支援機能が装用者視力パラメータと装用者のジオ位置との両方に基づいて適合されるステップと
を有し、
−  この場合に、ナビゲーション視覚支援は、シースルー頭部装着型装置によって提供される。
【００１３】
有利には、装用者視力パラメータ及び装用者のジオ位置に基づいてルートに沿った頭部装着型装置のナビゲーション視覚支援機能を適合させることにより、本発明の方法は、装用者の眼科欠陥に対して適合された視覚ガイダンスナビゲーション方法を提供する。
【００１４】
装用者の移動が改善されると共に促進される。
【００１５】
更には、本発明の方法によれば、装用者の移動を促進する装用者の眼科欠陥に対して適合されたルートのカスタマイズされた認識機能を装用者に対して提供することができる。更には、それぞれの装用者の眼科欠陥に対して適合された事前記録カスタムルートによれば、ルートに沿った頭部装着型装置による処理及び表示の最適化が可能であり、この結果、ルートに沿って強力な眼科欠陥を有する装用者を支援するための選択的且つ定性的な情報の提供が可能である。
【００１６】
単独で又は任意の可能な組合せにおいて検討されうる更なる実施形態によれば、
−  頭部装着型装置は、表示装置を有し、且つ、ナビゲーション視覚支援機能適合ステップは、
−  処理済み画像選択ステップであって、装用者のジオ位置が保存されているジオ位置のうちの１つとマッチングした際に、装用者のジオ位置にマッチングした保存されているジオ位置と関連付けられた処理済みの画像のうちの少なくとも１つが、装用者視覚化パラメータに従って選択されるステップと、
−  表示ステップであって、装用者の視覚環境の処理済みの画像が、シースルー頭部装着型表示装置により、装用者に対して表示されるステップと
を更に有し、
−  頭部装着型装置は、表示装置と、装用者の視覚環境の画像を取得するように適合されたカメラとを有し、且つ、ナビゲーション視覚支援機能適合ステップは、
−  画像取得ステップであって、装用者の視覚環境の少なくとも１つの画像が、カメラによって取得されるステップと、
−  画像処理選択ステップであって、装用者のジオ位置が保存されているジオ位置のうちの１つとマッチングした際に、装用者のジオ位置にマッチングした保存されているジオ位置と関連付けられた画像処理のうちの少なくとも１つが、装用者視覚化パラメータに従って選択されるステップと、
−  画像処理ステップであって、画像取得ステップにおいて取得された視覚環境の画像が、画像処理選択ステップにおいて選択された画像処理に従って処理されるステップと、
−  表示ステップであって、視覚環境の処理済みの画像が、シースルー頭部装着型表示装置により、装用者に対して表示されるステップと
を更に有し、且つ／又は、
−  ナビゲーション視覚支援機能適合ステップは、
−  画像要素識別ステップであって、装用者の視覚環境の画像が、予め定義された要素リスト内において列挙されている少なくとも１つの予め定義された要素を識別するべく分析され、予め定義された要素のそれぞれは、少なくとも１つの画像処理と関連付けられているステップを更に有し、及び
−  画像処理選択ステップにおいて、予め定義された要素リスト内において列挙されている予め定義された要素のうちの１つに対応する装用者の視覚環境の画像の要素を識別する際に、装用者の視覚環境の画像内において識別された予め定義された要素と関連付けられた画像処理が選択され、且つ／又は、
−  方法は、
−  視覚環境パラメータ判定ステップであって、少なくとも１つの視覚環境パラメータが判定されるステップを更に有し、及び
−  画像処理選択ステップにおいて、画像処理が、視覚環境パラメータに従って選択され、且つ／又は、処理済み画像選択ステップにおいて、処理済みの画像が、視覚環境パラメータに従って選択され、且つ／又は、
−  方法は、
−  送信ステップであって、ジオ位置が、少なくとも１つの画像処理と関連付けられた保存されているジオ位置と比較されるべく、離れたエンティティに送信されるステップと、
−  受信ステップであって、選択された画像処理が、離れたエンティティから受信されるステップと
を更に有し、且つ／又は、
−  方法は、
−  送信ステップであって、ジオ位置が、少なくとも１つの画像処理と関連付けられた保存されているジオ位置と比較されるべく、離れたエンティティに送信され、且つ、装用者の視覚環境の取得された画像が、ジオ位置と関連付けられた画像処理に基づいて処理されるべく、離れたエンティティに送信されるステップと、
−  受信ステップであって、処理済みの画像が、離れたエンティティから受信されるステップと
を更に有し、且つ／又は、
−  離れたエンティティは、スマートフォン及び／又はスマートウォッチであり、且つ／又は、
−  方法は、装用者のジオ位置に基づいて、視覚環境の処理済みの画像に基づく補完的な視覚情報を表示するステップを更に有し、且つ／又は、
−  頭部装着型表示装置は、能動的機能と、能動的機能を制御するように構成された制御ユニットとを有し、且つ、能動的機能は、ナビゲーション視覚支援機能適合ステップにおいて適合され、且つ／又は、
−  方法は、装用者のジオ位置に基づいて装用者に対してオーディオ通知を提供するステップを更に有し、且つ／又は、
−  方法は、装用者識別子と前記装用者視覚化パラメータとの間の関連付けをデータベース内において事前登録するステップを更に有し、且つ／又は、
−  前記装用者視覚化パラメータのうちの少なくとも１つは、装用者識別子との関連において、ネットワークを介して頭部装着型装置に接続されたサーバー上の装用者データベース内に保存され、且つ／又は、
−  方法は、少なくともルートをデータベース内において事前登録する予備的ステップを更に有し、この予備的ステップは、
−  関連付けステップであって、ジオ位置判定ステップにおいて判定されたルートに沿ったジオ位置が、少なくとも１つのナビゲーション視覚支援機能変更と関連付けられるサブステップと、
−  保存ステップであって、ジオ位置及び関連付けられた少なくとも１つのナビゲーション視覚支援機能変更が保存されるサブステップと
を有し、且つ／又は、
−  予備的ステップは、
−  画像取得ステップであって、装用者の視覚環境の少なくとも１つの画像がカメラによって取得されるステップと、
−  画像処理選択ステップであって、画像処理のうちの少なくとも１つが、装用者視覚化パラメータに従って選択されるステップと、
−  画像処理ステップであって、画像取得ステップにおいて取得された視覚環境の画像が、画像処理選択ステップにおいて選択された画像処理に従って処理されるステップと
を更に有し、及び
−  関連付けステップにおいて、処理済みの画像が、ジオ位置と関連付けられ、且つ／又は、
−  ナビゲーション視覚支援機能変更データは、任意選択により、アクセス権限に従って、前記装用者識別子に従って定義され、且つ／又は、
−  関連付けステップは、装用者によって実行され、且つ／又は、
−  方法は、ジオ位置比較ステップの前に、受信ステップであって、ナビゲーション視覚支援機能変更と関連付けられた保存されているジオ位置が、離れたエンティティから受信され、且つ、保存されるステップを更に有し、且つ／又は、
−  予備的ステップは、
−  画像選択ステップであって、少なくとも１つの画像が選択されるステップと、
−  画像処理選択ステップであって、画像処理の少なくとも１つが、装用者視覚化パラメータに従って選択されるステップと、
−  画像処理ステップであって、選択された画像が、画像処理選択ステップにおいて選択された画像処理に従って処理されるステップと
を更に有し、及び
−  関連付けにおいて、処理済みの画像は、ジオ位置と関連付けられる。
【００１７】
本発明は、装置のナビゲーション視覚支援機能を制御するように構成された制御ユニットと、本発明による方法を実装するように適合されたプロセッサとを有する頭部装着型シースルー電気光学装置に更に関する。
【００１８】
更なる態様によれば、本発明は、プロセッサからアクセス可能であると共に、プロセッサによって実行される際にプロセッサに本発明による方法のステップを実行させる命令の１つ又は複数の保存されたシーケンスを有するコンピュータプログラムプロダクトに関する。
【００１９】
本発明は、本発明によるコンピュータプログラムプロダクトの命令の１つ又は複数のシーケンスを保持するコンピュータ可読記憶媒体に更に関する。
【００２０】
更には、本発明は、本発明の方法をコンピュータに実行させるプログラムにも関する。
【００２１】
又、本発明は、その上に記録されたプログラムを有するコンピュータ可読記憶媒体にも関し、この場合に、プログラムは、本発明の方法をコンピュータに実行させる。
【００２２】
本発明は、命令の１つ又は複数のシーケンスを保存すると共に、本発明による方法のステップの少なくとも１つを実行するように適合されたプロセッサを有する装置にも更に関する。
【００２３】
以下、添付図面を参照し、本発明の非限定的な実施形態について説明する。
【図面の簡単な説明】
【００２４】
【図１】本発明の一実施形態による方法のステップを表すフローチャートである。
【図２】本発明の一実施形態による方法を実装しうる頭部装着型電気光学装置を示す。
【図３】本発明のローカル実装形態によるシースルー頭部装着型装置機能適合ステップのサブステップを表すフローチャートである。
【図４】本発明のリモート実装形態によるシースルー頭部装着型装置機能適合ステップのサブステップを表すフローチャートである。
【発明を実施するための形態】
【００２５】
本発明について説明するべく、以下の定義が提供される。
【００２６】
「サーバー」ＳＥＲＶは、当技術分野において周知である。サーバーＳＥＲＶは、広範なネットワークＮＥＴＷを介して複数の端末ＴＥＲＭに接続されてもよい。ネットワークＮＥＴＷは、データ送信を許容し、且つ、高周波通信（Ｗｉ−Ｆｉ、Ｂｌｕｅｔｏｏｔｈ（登録商標）、３Ｇ、４Ｇなど）及び／又は光通信（Ｌｉ−Ｆｉ、ＩＲ、近ＩＲ、可視など）などの無線通信、並びに／或いは、有線通信（Ｅｔｈｅｒｎｅｔ（登録商標）、光ファイバ）に依存したものであってもよい。サーバーＳＥＲＶは、１つ又は複数のデータベースＤＢを有してもよく、且つ／又は、１つ又は複数のデータベースＤＢに対して接続されてもよい。
【００２７】
以下において「ローカル」実装形態と呼称される本発明の一実施形態によれば、本発明のステップのすべては、頭部装着型装置内に配置された少なくとも１つのプロセッサによってローカルに実行されている。本発明のこのような実装形態の場合には、頭部装着型装置は、少なくともメモリ及びプロセッサを有する必要がある。
【００２８】
以下において「リモート」実装形態と呼称される本発明の一実施形態によれば、本発明のステップの少なくとも一部分は、少なくとも１つのリモートプロセッサによって実行されている。リモートプロセッサは、ネットワークを介して頭部装着型装置に対してリンクされた離れたサーバーＳＥＲＶ内に配置されてもよい。
【００２９】
「頭部装着型装置」（ＨＭＤ）は、当技術分野において周知である。このような装置は、装用者の頭部の上部又は周辺において装用される必要がある。これらは、装用者による視覚化のための画像を表示する光学手段を含む。ＨＭＤは、単眼（単一の眼）型又は双眼（両方の眼）型であってもよい。本発明のＨＭＤは、眼鏡、スキー又はダイビングマスクなどのマスク、ゴーグルなどを含む様々な形態を有することができる。ＨＭＤは、１つ又は複数のレンズを有してもよい。前記レンズは、処方レンズのうちから選択することができる。好適な実施形態においては、ＨＭＤは、レンズが提供された眼鏡である。図２には、本発明の頭部装着型装置の一例が示されている。
【００３０】
「視覚化パラメータデータ」（ＶＰＤ）は、装用者眼科データＯＤ（処方データＰＤ、眼感度データＳＤ、及び生物計測データＢＤ）及び／又は装用者眼データ（ＥＤ）のうちの１つ又は複数を含む。前記ＶＰＤは、ＨＭＤ上において構築されたメモリ上に保存されてもよく、且つ／又は、サーバーＳＥＲＶを介してアクセス可能な専用のデータベースＤＢ上において保存されてもよい。
【００３１】
「装用者眼科データ」又は「眼科データ」ＯＤは、当技術分野において周知である。装用者眼科データは、装用者処方データＰＤ、装用者眼感度データＳＤ、及び装用者眼科生物計測データＢＤを含む。
【００３２】
「処方データ」ＰＤは、当技術分野において周知である。処方データは、装用者について取得されると共に、それぞれの眼ごとにそれぞれの眼の屈折異常、及び／又は老眼を矯正するのに適した処方された遠見視力の平均屈折力ＰＦＶ、及び／又は処方された乱視値ＣＹＬＦＶ、及び／又は処方された乱視軸ＡＸＥＦＶ、及び／又は処方された加入度Ａを通知する１つ又は複数のデータを意味している。平均屈折力ＰＦＶは、処方された球値ＳＰＨＦＶに処方された乱視値ＣＹＬＦＶの半分の値を合計することにより、得られる（ＰＦＶ＝ＳＰＨＦＶ＋ＣＹＬＦＶ／２）。次いで、近見視力におけるそれぞれの眼の平均屈折力は、同一の眼について処方された遠見視力の平均屈折力ＰＦＶに処方された加入度Ａを合計することにより得られる（ＰＮＶ＝ＰＦＶ＋Ａ）。累進多焦点レンズの処方の場合には、処方データは、ＳＰＨＦＶ、ＣＹＬＦＶ、及びＡについてそれぞれの眼ごとに通知する装用者データを有する。好適な実施形態においては、装用者の処方データＰＤは、乱視モジュール、乱視軸、ジオプトリ、プリズム、及び加入度から選択される。
【００３３】
「装用者眼感度データ」ＳＤは、当技術分野において周知である。装用者眼感度データは、（１つ又は複数の波長又はスペクトル帯域に対する）スペクトル感度のデータ、輝度感度、例えば、屋外輝度感度などの一般的な感度、装用者の眼の色、装用者の光及び／又はグレア感度、又は回復を含む。このようなデータは、装用者による画像の視覚化のためのコントラストを最適化するために重要である。
【００３４】
「装用者眼科生体計測データ」又は「生体計測データ」ＢＤは、当技術分野において周知である。生体計測データは、装用者の構造に関するデータを含み、且つ、通常は、単眼瞳孔距離、瞳孔間距離、眼の軸方向の長さ、眼の回転中心の位置などのうちの１つ又は複数を含む。
【００３５】
「装用者眼データ」は、当技術分野において周知である。眼のデータは、ユーザーの暗順応、ユーザーの色覚、視野、双眼視力、装用者の眼のサッケード運動、固定安定性、装用者の視覚−手動調整、装用者の「頭部／眼」運動調整、所与の距離視力における装用者の両眼の注視方向など、瞳孔拡張、瞼の位置などの頭部装着型装置の望ましい設定に応じて眼科パラメータに直接的には関係付けられていないパラメータを含む。又、これは、視覚疾病及び／又は視覚暗点の特性を有してもよい。
【００３６】
「着用者データベース」ＷＥＡＲ−ＤＢは、装用者視覚化パラメータデータＶＰＤを保存及び取得するのに適したメモリを有するデータベースである。データベース及びメモリは、当技術分野において周知である。視覚化パラメータデータの取得は、視覚化パラメータ識別子ＶＰ−ＩＤなどの専用のポインタを使用して実現することができる。例えば、識別子ＷＥＡＲ−ＩＤは、視覚化パラメータ識別子ＶＰ−ＩＤとして機能することができる。それぞれの装用者識別子ＷＥＡＲ−ＩＤ１、２、．．．、ｎは、装用者の右眼ＲＥ及び左眼ＬＥのそれぞれごとの、ここでは、ジオプトリＰ、乱視ＡＳＴＩ、加入度ＡＤＤなどとして示されている、様々な処方データＰＤの取得を許容する。
【００３７】
図１上に示されている本発明の一実施形態によれば、シースルー頭部装着型装置の装用者のための視覚支援ガイダンスナビゲーション方法は、
−  装用者視覚化パラメータ提供ステップＳ１と、
−  ジオ位置判定ステップＳ２と、
−  ジオ位置比較ステップと、
−  シースルー頭部装着型装置機能適合ステップＳ３と
を有する。
【００３８】
本発明の方法は、コンピュータ手段によって実装されてもよい。
【００３９】
装用者視覚化パラメータ提供ステップＳ１においては、装用者の視覚プロファイルに関係する少なくとも１つの装用者視覚化パラメータデータＶＰＤの値が提供される。
【００４０】
本発明の意味において、装用者の視覚プロファイルとは、装用者に関係付けられたパラメータの組として理解することを要する。視覚プロファイルは、静的及び動的方式によって装用者の視力を定義するパラメータを有する。
【００４１】
視覚プロファイルは、装用者視覚化パラメータデータＶＰＤを含み、且つ、装用者眼データＥＤ、並びに／或いは、装用者処方データＰＤ、装用者眼感度データＳＤ、及び／又は装用者眼科生体計測データＢＤを含む眼科データＯＤを有してもよい。
【００４２】
装用者視力パラメータ提供ステップＳ１は、前記ＶＰＤデータを送信するステップであってもよい。例えば、送信は、頭部装着型装置上のコントローラに対するものであってもよい。送信は、無線通信によるものであってもよく、或いは、フラッシュドライブ（ＵＳＢキー）を通じた入力によるものであってもよい。又、装用者視力パラメータ提供ステップＳ１は、例えば、望ましい焦点を得るか又は装用者の視野内における画像の場所を変更するべく視力パラメータを調節するための頭部装着型装置上のサムホイールを回転させるなど、頭部装着型装置上においてセットアップを手動で提供することにより、実行されてもよい。
【００４３】
本発明の一実施形態によれば、方法は、装用者視覚化パラメータ判定ステップＳ０を有してもよく、このステップにおいては、装用者の視覚プロファイルに含まれるＶＰＤデータの値が判定される。
【００４４】
ＶＰＤデータは、例えば、速度センサを使用するか、又はネットワークを介してリモートエンティティとデータを交換するなど、当業者に既知の任意の手段により、判定及び／又は更新されてもよい。
【００４５】
装用者パラメータの値は、離れたエンティティから装用者の視覚プロファイルをダウンロードすることにより、判定されてもよい。通常、離れたエンティティは、装用者に関係するデータを保存してもよい。このようなデータのうち、いくつかのデータは、装用者の視覚プロファイルの一部分として識別されてもよい。
【００４６】
装用者の視覚プロファイルを判定するべく、或いは、装用者の視覚プロファイルのダウンロードされた値に加えて、装用者の視覚プロファイルを完成させるか又は調節するように、視覚試験が実行されてもよい。
【００４７】
例えば、装用者は、近距離のターゲットを注視するように求められてもよく、且つ、装用者の両眼の注視方向が判定されてもよい。このような注視方向を使用することにより、装用者の観察距離を判定してもよい。
【００４８】
一実施形態によれば、装用者視覚化パラメータ判定ステップＳ０は、装用者の視覚能力及び主観的な好みに関する評価を査定するべく、対話型の一連の試験により、実行されている。
【００４９】
例えば、文字視力検査（ａｃｕｉｔｙ  ｔｅｓｔ  ｖｉｓｕａｌｉｚａｔｉｏｎ  ｌｅｔｔｅｒ）、試験フォント検査（ｔｅｓｔ  ｆｏｎｔ  ｔｅｓｔ）、空間文字試験（ｔｅｓｔ  ｓｐａｃｅ  ｃｈａｒａｃｔｅｒｓ）、判読力検査（ｔｅｓｔ  ｒｅａｄｉｎｇ  ａｃｕｉｔｙ）、表示モード検査（ｔｅｓｔ  ｄｉｓｐｌａｙ  ｍｏｄｅ）、グレア試験、又は眼運動検査を実装することができる。ＶＰＤデータは、任意の種類の媒体の読取り、視聴などのいくつかの活動の際に、装用者の動作及び現実世界のシーンを計測することにより、定義することができる。
【００５０】
本発明の別の態様においては、ステップＳ１の視覚化パラメータデータＶＰＤは、視覚化パラメータ識別子ＶＰ−ＩＤとの関連において、ネットワークＮＥＴＷを介して前記頭部装着型装置ＨＭＤに接続されたサーバーＳＥＲＶ上の装用者データベースＷＥＡＲ−ＤＢ内に保存されているメモリ内において保存されてもよい。この実施形態は、視覚化パラメータデータＶＰＤの更新を許容しているという点において有利である。例えば、所与の装用者の場合に、処方データは、時間に伴って変化する場合があり、及び／又は装用者が装置ＨＭＤを変更する場合もある。本発明の方法におけるサーバーの使用は、装置ＨＭＤによる画像表示を忠実にカスタマイズするための更新機能を提供する。
【００５１】
視覚化パラメータ識別子ＶＰ−ＩＤは、例えば、所与の装用者を識別する一意の識別子などの個別のものであってもよい。又、視覚化パラメータ識別子ＶＰ−ＩＤは、例えば、同一の近視矯正を有する装用者又は同一モデルの装置ＨＭＤを有する装用者のグループなどの、例えば、同一の処方データＰＤを有する装用者のグループを識別するための一般的な識別子（グループ識別子）であってもよい。
【００５２】
視覚化パラメータ識別子ＶＰ−ＩＤは、ＨＭＤ上に配置されたＱＲコード（登録商標）又はＲＦＩＤコードなどのコードであってもよい。
【００５３】
ジオ位置判定ステップＳ２においては、装用者のジオ位置が判定される。
【００５４】
装用者のジオ位置の判定は、ＧＰＳシステム又はこの均等物を使用することにより、実装されてもよい。
【００５５】
本発明の一実施形態によれば、装用者のジオ位置は、ＧＰＳシステムに加えて又はこの代わりに、画像認識システムを有してもよい。画像認識システムは、少なくとも、装用者の周りの視覚シーンの画像を取得するように適合されたカメラと、画像認識のために適合された処理手段とを有する。
【００５６】
例えば、画像認識システムは、都市内の特定の建物のリストなどの所与の場所のリストを認識するように適合されてもよい。
【００５７】
又、画像認識システムは、街路灯、横断歩道、道路標識など、装用者が頻繁に遭遇しうる物体のリストを認識するように適合されてもよい。
【００５８】
ジオ位置比較ステップにおいては、ジオ位置判定ステップにおいて判定された装用者のジオ位置が、保存されているルートに沿ったジオ位置と比較される。
【００５９】
ナビゲーション視覚支援機能適合ステップＳ３においては、装用者のガイダンスを容易にするべく、装用者のジオ位置が、保存されているルートに沿ったジオ位置のうちの１つとマッチングした際に、頭部装着型装置のナビゲーション視覚支援機能が、装用者視覚化パラメータデータＶＰＤ及び装用者のジオ位置に基づいて適合される。
【００６０】
本発明の意味において、ナビゲーション視覚支援機能とは、使用されるルートの装用者の視覚的経験を改善することによって装用者のガイダンスを容易にするのに有用なＨＭＤの任意の適合又は変更に関係している。
【００６１】
後述するように、様々な実施形態において、ナビゲーション視覚支援機能適合は、ＨＭＤの能動的機能の制御及び／又は異なる既定の頭部装着型装置機能の間における切り替え及び／又は実際のシーンの画像及び／又はコンピュータ生成された画像に関係付けられた任意の機能であってもよい。
【００６２】
本発明の一実施形態によれば、装用者の所与のジオ位置を検出した際に、頭部装着型装置のナビゲーション視覚支援機能が、装用者視力パラメータに従って適合されている。
【００６３】
例えば、ＧＰＳ測位及び画像認識システムを使用することにより、装用者が街路灯に対向しているという事実を検出した際には、装用者のために街路灯を視覚的に強調するように、頭部装着型装置の機能が適合される。
【００６４】
本発明の一実施形態によれば、方法は、適合された頭部装着型装置機能がユーザーに対して示唆される示唆ステップを有してもよい。このような実施形態によれば、示唆された適合済みの頭部装着型装置機能のユーザーからの検証の際に、頭部装着型装置の適合済みの頭部装着型装置機能が適合される。
【００６５】
一実施形態によれば、頭部装着型装置機能は、異なる既定の頭部装着型装置機能の間において切り替えられてもよい。
【００６６】
本発明の一実施形態によれば、頭部装着型装置は、能動的機能と、能動的機能を制御するように構成された制御ユニットとを有してもよい。
【００６７】
能動的機能は、ナビゲーション視覚支援機能適合ステップにおいて適合される。
【００６８】
一実施形態において、能動的機能は、エレクトロクロミックタイプである。
【００６９】
エレクトロクロミック装置によって放出される光の量は、例えば、電界の強度又はＨＭＤのエレクトロクロミック装置に跨る電圧を制御することにより、制御することができる。
【００７０】
エレクトロクロミック装置の放出は、視覚支援機能適合ステップにおいて適合されてもよい。
【００７１】
例えば、装用者の光感度に基づいて、２つの光放出レベルが判定されてもよい。装用者のジオ位置に基づいて、エレクトロクロミック装置は、２つの光放出レベルの間において切り替えるように制御されてもよい。通常、装用者が建物又はトンネルに進入していることを検出した際には、光放出は、ハイレベルに設定されてもよく、装用者が建物又はトンネルから離脱していることを検出した際には、光放出は、ローレベルに設定されてもよい。
【００７２】
この結果、ユーザーは、安全な方法で、ルートに沿って無事に移動することができる。
【００７３】
装用者のジオ位置は、頭部装着型装置の最も適切な機能を判定するべく、更なる情報と組み合わせられてもよい。
【００７４】
本発明の一実施形態によれば、方法は、ナビゲーション視覚支援機能適合ステップＳ３の前に、視覚環境パラメータ提供ステップを更に有してもよい。
【００７５】
視覚環境パラメータ提供ステップにおいては、装用者の環境に関係した少なくとも１つのパラメータの値が提供される。
【００７６】
例えば、時刻又は季節が考慮されてもよい。又、直接的な環境データが考慮されてもよい。例えば、頭部装着型装置は、環境の光度を計測するように適合された光センサを有してもよい。
【００７７】
通常は光の放出である頭部装着型装置の機能は、前記の更なる情報を考慮することにより、適合されてもよい。
【００７８】
又、このような環境パラメータは、顔の検出、衝突リスクの検出、電池レベル、通知、表示されたコンテンツなどの頭部装着型装置の状態、或いは、装用者の環境に関係した任意のその他のパラメータに対応するものであってもよい。
【００７９】
本発明の一実施形態によれば、フィルタの透過、反射、及び吸収仕様が、ナビゲーション視覚支援機能ステップにおいて適合されている。
【００８０】
本発明の一実施形態によれば、頭部装着型装置は、その光屈折機能が、レンズに跨る電圧を制御することによって制御されうるプログラム可能なレンズを有してもよい。
【００８１】
プログラム可能なレンズの光屈折機能は、装用者の視覚環境の要素を強調するように、適合されてもよい。通常、装用者が街路灯に対向していることを検出した際には、プログラム可能なレンズの光屈折機能は、街路灯の明瞭な観察を装用者に提供するように、適合されてもよい。
【００８２】
本発明の一実施形態によれば、頭部装着型装置は、図２に示されている頭部装着型表示装置である。
【００８３】
この例においては、フレームは、従来の眼鏡フレームと類似しており、且つ、類似の快適さレベルにより、装用することができる。但し、ヘルメット、ストラップ、又はその他の手段によってユーザーの頭部に取り付けられる顔面シールドなどのその他の実装形態も可能である。フレームは、フレームフロント１０２と、テンプル１０４及び１０５とを含む。フレームフロントは、ユーザーの左眼用のシースルーレンズ１０１と、ユーザーの右眼用のシースルーレンズ１０３とを保持している。左及び右という向きは、ユーザーの観点からのものである。左側シースルーレンズ１０１は、左眼による観察のために、増補されたリアリティ画像を現実世界シーンからの光と混合するビームスプリッタなどの光透過性光学コンポーネント１２２を含む。
【００８４】
右側シースルーレンズ１０３は、右眼による観察のために、増補されたリアリティ画像を現実世界シーンからの光と混合するビームスプリッタなどの光学コンポーネント１２０を含む。
【００８５】
右側増補リアリティエミッタ１１６が、アーム１１４を介してフレームに取り付けられており、且つ、左側増補リアリティエミッタ１０８が、アーム１１０を介してフレームに取り付けられている。
【００８６】
頭部装着型装置は、装用者に対向している現実世界シーンの画像を取得するように適合されたシーンカメラ１１２を有する。
【００８７】
例えば、電池などの電源１３０が、頭部装着型装置の様々な要素に電力を供給している。
【００８８】
例えば、フレーム内の導電性経路を介して、適切な電気接続を実施することができる。
【００８９】
図３には、図２に示されている頭部装着型装置を使用した本発明のローカル実装形態の一例が示されている。
【００９０】
このような実施形態によれば、ナビゲーション視覚支援機能適合ステップは、
−  画像取得ステップＳ３１と、
−  画像処理選択ステップＳ３３と、
−  画像処理ステップＳ３４と、
−  表示ステップＳ３５と
を更に有する。
【００９１】
画像取得ステップＳ３１において、装用者に対向している現実世界シーンの少なくとも１つの画像がシーンカメラによって取得されている。
【００９２】
本発明のローカル実装形態によれば、シーンカメラによって取得された画像は、頭部装着型リモート装置に含まれたメモリ内において保存されている。
【００９３】
ジオ位置比較ステップにおいては、例えば、頭部装着型装置内に配置されたＧＰＳチップによって判定されたＧＰＳ座標を使用することにより、ジオ位置判定ステップにおいて判定された装用者のジオ位置が、保存されているルートに沿ったジオ位置と比較される。
【００９４】
保存されているジオ位置は、少なくとも１つの画像処理との関連において、メモリ内に保存されている。ジオ位置及び関連付けられた画像処理が、頭部装着型装置に含まれたメモリ内においてローカルに保存されているデータベースとして、列挙されてもよい。
【００９５】
本発明の一実施形態によれば、方法は、画像要素識別ステップＳ３２１を更に有してもよい。
【００９６】
画像要素識別ステップＳ３２１において、画像取得ステップＳ３１において取得された画像が、予め定義された要素リスト内に列挙されている少なくとも１つの予め定義された要素を識別するべく分析される。予め定義された要素リストの予め定義された要素のそれぞれは、少なくとも１つの画像処理と関連付けられている。
【００９７】
画像の分析は、適切なアルゴリズムを使用して画像内の要素を識別するステップと、要素の識別の際に、識別された要素を予め保存されている要素と比較するステップとを有してもよい。
【００９８】
有利には、画像要素識別ステップは、識別された要素に基づいた相対的に固有の且つ適合された画像処理の提供を許容している。又、画像要素識別ステップは、装用者のジオ位置を提供するべく、或いは、少なくとも、装用者のジオ位置の精度を向上させるべく、使用されてもよい。
【００９９】
画像処理選択ステップＳ３３においては、装用者のジオ位置とマッチングした保存されているジオ位置と関連付けられた画像処理のうちの少なくとも１つが選択される。
【０１００】
画像処理は、
−  画像の拡大、及び／又は、
−  画像の再マッピング、及び／又は、
−  色の極小化、及び／又は、
−  色の拡大、及び／又は、
−  色の再マッピング、及び／又は、
−  画像強度の改善、及び／又は、
−  コントラストの改善、及び／又は、
−  輝度の改善、及び／又は、
−  視野の輝度調節、及び／又は、
−  画像の縮小、及び／又は、
−  輪郭の改善、及び／又は、
−  画像の二値化、
からなるリストから選択することができる。
【０１０１】
又、画像処理は、装用者の視野内における画像表示の（例えば、装置ＨＭＤのフレームを基準とした）位置（場所）及び／又は視覚化対象の画像の焦点計画の場所を含んでもよい。
【０１０２】
例えば、画像処理は、ジオ位置判定ステップにおいて判定されたジオ位置が、保存されているジオ位置のうちの１つとマッチングした際に選択される。
【０１０３】
通常、データベースは、道路作業に対応する保存されているジオ位置を有してもよい。ジオ位置は、装用者の眼科欠陥に基づいて、道路作業の通知を強調しうる様々な画像処理と関連付けられてもよい。
【０１０４】
例えば、データベースは、リスクゾーン警告に対応する保存されているジオ位置を有してもよい。
【０１０５】
例えば、通り名称の標識を改善するべく、画像処理は、コントラストの改善と組み合わせられた画像の拡大であってもよい。
【０１０６】
鉄道の駅の標識を改善するべく、画像処理は、輝度の改善と組み合わせられた画像の拡大であってもよい。
【０１０７】
デジタル画面上において表示された情報を改善するべく、画像処理は、画像の二値化と組み合わせられた画像の拡大であってもよい。
【０１０８】
例えば、所与の処方データＰＤを有する所与の近視装用者の場合に、本発明に従って表示される画像は、装用者の屈折異常／老眼に対してカスタマイズされることになり、且つ、前記装用者にとっては、十分に明瞭なものとなるであろうが、異なる処方データを有する別の装用者にとっては、明瞭なものとはならないであろう。
【０１０９】
例えば、地下鉄路線の地図など、壁の上に表示された情報を改善するべく、ＨＭＤのプロセッサは、装用者のＶＰＤに対して適合された変更済みの画像データを提供するように、計算ステップ又は処理ステップを実行する。
【０１１０】
有利には、本発明による方法は、容易且つ安全な方法で無事にルートに沿って移動するための信頼性の高いセキュリティ手段を提供している。
【０１１１】
複数の画像処理が、ジオ位置に関連付けられてもよい。最も適切な画像処理又は画像処理の組合せの選択は、少なくとも装用者視力パラメータに基づいたものである。
【０１１２】
画像要素識別ステップを有する本発明の実施形態によれば、最も適切な画像処理の選択は、画像内において識別された要素に更に基づいたものであってもよい。
【０１１３】
有利には、取得された画像内において改善されるべき要素を識別することにより、画像処理の適合性が大幅に向上する。
【０１１４】
最も適切な画像処理の選択は、視覚環境パラメータ判定ステップにおいて判定された環境パラメータに更に基づいたものであってもよい。関心の対象となりうる環境パラメータとして、上述のように、一日のうちの時間帯（昼／夜）、時刻、及び／又は天気を考慮してもよい。
【０１１５】
実際に、適用される画像処理は、環境パラメータに応じて異なってもよく、且つ、場合によっては、改善対象の情報のタイプが変化してもよい。
【０１１６】
通常、例えば、滑りやすい道路の標識などの特定の道路標識は、雨天の際に改善が必要となるものであり、乾燥した状態においては、前記道路標識は、関心の的とはならず、且つ、従って、本発明の方法によって改善する必要もない。
【０１１７】
環境パラメータは、例えば、センサを使用するか、又はネットワークを介したリモートエンティティとの間におけるデータ交換によるなど、当業者には既知の任意の手段により判定されてもよい。又、環境パラメータは、頭部装着型装置と共に提供される通信手段を使用することにより、装用者によって提供されてもよい。
【０１１８】
最も適切な画像処理の選択は、装用者の活動パラメータ判定ステップにおいて判定された装用者の活動パラメータに更に基づいたものであってもよい。関心の的になりうる装用者活動パラメータとして、歩行、運転、自転車走行などの活動を考慮してもよい。
【０１１９】
実際に、適用される画像処理は、装用者の活動に応じて、異なってもよく、且つ、場合によっては、改善対象の情報のタイプが変化してもよい。
【０１２０】
通常、装用者が歩行している際には、歩道灯が、特に関心の的となり、装用者が運転している際には、道路灯が、特に関心の的となる。
【０１２１】
画像処理ステップＳ３４においては、画像取得ステップＳ３１において取得された装用者の視覚環境の画像が、選択された画像処理に従って処理される。ステップＳ３４は、単一の（１回の）計算を有してもよく、或いは、画像の動的視覚化ために、「動的」な、連続的な又はリアルタイムの計算を有してもよい。本発明のローカル実装形態によれば、画像は、頭部装着型装置内に配置されているプロセッサを使用することにより、処理されている。
【０１２２】
装用者の視覚環境の処理済みの画像は、表示ステップにおいて、装用者に対して表示される。処理済みの画像は、シースルー頭部装着型表示装置を使用することにより表示される。
【０１２３】
図４には、本発明のリモート実装形態が示されている。
【０１２４】
このような実施形態によれば、ナビゲーション視覚支援機能適合ステップは、
−  画像取得ステップＳ３１と、
−  取得された画像送信ステップＳ３１１と、
−  画像処理選択ステップＳ３３と、
−  画像処理ステップＳ３４と、
−  受信ステップＳ３４１と、
−  表示ステップＳ３５と
を有する。
【０１２５】
画像取得ステップＳ３１は、本発明のローカル実装形態について上述したものに等しい。
【０１２６】
取得された画像送信ステップＳ３１１においては、画像取得ステップＳ３１において取得された取得済みの画像が、頭部装着型装置から、例えば、離れたサーバーなどの離れたエンティティに送信されている。
【０１２７】
ジオ位置送信ステップＳ２１において、ジオ位置判定ステップにおいて取得されたジオ位置が、離れたエンティティに送信されている。
【０１２８】
ジオ位置比較ステップＳ３２は、前記ステップが、離れたサーバー側において実装されているという点を除いて、本発明のローカル実装形態について詳述したものに等しい。画像処理と関連付けられた保存されているジオ位置は、例えば、離れたサーバーのメモリ内において、データベースとして保存されている。
【０１２９】
方法は、ローカル実装形態と同様に、画像要素識別ステップＳ３２１を更に有してもよい。画像要素識別ステップＳ３２１は、離れたサーバー側に配置されているプロセッサによって実行される。
【０１３０】
画像処理選択ステップＳ３３及び画像処理ステップＳ３４は、前記ステップが離れたサーバー側において実装されているという点を除いて、本発明のローカル実装形態について詳述したものに等しい。
【０１３１】
受信ステップＳ３４１において、処理済みの画像が、頭部装着型表示装置によって受信されている。
【０１３２】
ローカル実装された実施形態と同様に、表示ステップＳ３５において、受信された処理済みの画像が装用者に対して表示されている。
【０１３３】
又、本発明は、処理済みの画像の表示のための適切なデータを取得する方法をも提供している。データは、情報、写真、及びこれらに類似したものをその特定の場所に対して「タグ付け」又は「フラグ付与」するように、特定の場所に対して結び付けられていてもよい。場所は、固定されたＧＰＳ座標のものである必要はない。
【０１３４】
この実施形態においては、受信ステップは、前記処理済みの画像データを通信端末ＴＥＲＭから頭部装着型装置ＨＭＤに送信するステップであってもよい。送信は、装用者の観点においては、「プッシュ」型又は「プル」型であってもよく、即ち、装用者からのなんらかのコマンドと無関係であってもよく、或いは、装用者の能動的コマンドによってトリガされてもよい。
【０１３５】
この実施形態によれば、処理済みの画像は、前記端末ＴＥＲＭ上のメモリに保存されてもよく、或いは、ネットワークＮＥＴＷを介して端末ＴＥＲＭに接続されたデータベースＤＢ内において保存されてもよい。データベースＤＢは、データの組を有してもよく、この場合に、データのそれぞれの組は、所与のコンテンツ（テキスト、画像など）に対応している。
【０１３６】
一代替リモート実装形態によれば、取得された画像の処理は、頭部装着型装置内に配置されているプロセッサにより、ローカルに実装されてもよい。
【０１３７】
有利には、このような実施形態によれば、帯域幅に対するニーズが低減され、その理由は、画像が頭部装着型装置と離れたサーバーの間において送信されないからである。
【０１３８】
別の実施形態によれば、実際のシーンの画像取得ステップは、データベース又はメモリ内の保存されている画像が、画像処理選択ステップの後に処理されるべく取得される画像取得ステップにより、置換されてもよい。
【０１３９】
保存されている画像が、保存の前に既に事前処理されている場合には、処理ステップ及び画像処理選択ステップは除去されてもよい。
【０１４０】
従って、保存されているジオ位置は、少なくとも１つの画像及び画像処理との関連において、メモリ内において、且つ／又は、少なくとも１つの事前処理された画像と共に保存されている。
【０１４１】
画像は、コンピュータによって生成された画像であってもよく、或いは、装用者又はダウンロードによって予め取得された実際のシーンの画像であってもよい。
【０１４２】
前記データは、ＨＭＤのメモリ内において、且つ／又は、サーバーからアクセス可能なデータベース内において保存することができる。
【０１４３】
リアルタイム情報を装用者に提供するように、本発明の方法のステップは、好ましくは、少なくとも１５Ｈｚの、好ましくは、少なくとも２０Ｈｚの、最も好ましくは、少なくとも２４Ｈｚの頻度で反復される。
【０１４４】
処理済みの画像に加えて、方法は、装用者のジオ位置に基づいて装用者の視覚環境の処理済みの画像に加えて補完的な視覚情報を表示するステップを有してもよい。
【０１４５】
通常、方法は、交通情報、買物情報、向き情報、又は装用者に適した任意のその他のタイプの情報を表示してもよい。
【０１４６】
本発明の一実施形態によれば、方法は、ジオ位置判定ステップにおいて判定されたジオ位置に基づいて、オーディオ通知を装用者に提供するステップを更に有してもよい。
【０１４７】
又、一実施形態によれば、本発明は、処理済みの画像（タグ／コンテンツ）を生成する方法をも提供している。この結果、前記処理済みの画像は、後から取得及び表示されてもよい。又、処理済みの画像によってタグ付けする方法が本発明によって提供されるように、処理済みの画像は、所与の場所と関連付けられてもよい。
【０１４８】
この実施形態においては、方法は、任意選択により、（ｉ）頭部装着型の処理済み画像表示装置ＨＭＤが設けられた装用者の運動を検出するステップと、（ｉｉ）ステップ（ｉ）の運動の認識に基づいてデータを取得するステップとを有してもよい。ステップ（ｉ）の運動は、コマンド用の制御信号を生成するのに適した任意の運動であってよい。
【０１４９】
データを取得するステップ（ｉｉ）は、メニューからの選択肢の選択、視覚キーボード上の少なくとも１つのキーの押下、仮想ノートパッド上における手書き、音声コマンドによる命令の付与、デジタル写真の撮影、或いは、デジタルビデオの記録のうちから選択された１つ又は複数を有してもよい。従って、ステップ（ｉｉ）のデータは、テキスト、写真、これらの組合せなどのデータであってもよい。従って、本発明は、コンテンツを有するコンピュータによって生成された処理済みの画像タグである仮想ポストを提供してもよい。又、ステップ（ｉｉ）は、例えば、仮想的なクリック動作（仮想ボタン「好き！」の選択などの予め定義されたメニュー又は予め定義されたアイコンからの選択）又は認識されうると共にデジタルテキストに変換されうる仮想的な手書きにより、仮想的に注釈を付与するステップであってもよい。
【０１５０】
この場合にも、通信端末は、ネットワークを介してサーバーに接続されてもよく、或いは、そうでなくてもよい。本発明の方法においては、ステップ（ｉｉ）は、サーバーに対する接続を伴うことなしに、実行されてもよい。或いは、この代わりに、前記少なくとも１つの通信端末ＴＥＲＭは、ネットワークＮＥＴＷを介して通信サーバーＳＥＲＶに接続されてもよく、且つ、処理済みの画像は、場所との関連において通信データベースＤＢ内において保存することができる。所与の場所との間における送信データの関連付けは、タグをピン止めするという選択肢を許容し、即ち、処理済みの画像（コンテンツ）を特定の場所と関連付けるという選択肢を許容する。例えば、レストランの顧客レビューが、前記レストランの近傍に位置した端末上において、利用可能とされてもよい。データと関連付けられた場所は、装用者の場所であってもよく、或いは、そうでなくてもよく、場所は、装用者が端末の近傍に存在している際には、装用者の場所であってもよいが、装用者が対象の場所にもはや存在していない際には、例えば、データを別の端末を使用してネットワークを介してサーバーに提供することにより、一時点におけるデータと場所の間の関連付けを装用者が提供することもできる。
【０１５１】
又、本発明は、装用者プロファイル及びアクセス権限を定義するという選択肢をも提供している。装用者プロファイルの定義は、所与の装用者に適した選択された情報を提供するのに有用である。例えば、装用者がスポーツに関心を持っている場合には、前記装用者が、視覚化のために、スポーツと関係した特定のコンテンツを利用できるようにしてもよい。処理済みの画像データの取得（タグ又はコンテンツの視覚化のための制限されたアクセス）のために、且つ／又は、処理済みの画像の生成（タグ又はコンテンツの生成のための制限されたアクセス）のために、アクセス権限が定義されてもよい。
【０１５２】
本発明の一実施形態によれば、方法は、ナビゲーション視覚支援機能適合ステップＳ３の前に、少なくともルートをデータベース内において事前登録する予備的ステップを更に有してもよく、予備的ステップは、
−  関連付けサブステップと、
−  保存サブステップと
を有する。
【０１５３】
関連付けステップにおいては、ルートの中間地点が、少なくとも１つのナビゲーション視覚支援機能変更及び装用者視覚化パラメータデータ及び／又は視覚化パラメータ識別子と関連付けられる。
【０１５４】
更に詳しくは、関連付けステップにおいては、装用者の様々なジオ位置が選択され、判定され、且つ、例えば、画像処理などの少なくとも１つのナビゲーション視覚支援機能変更と関連付けられる。
【０１５５】
装用者のジオ位置は、ＧＰＳチップの使用など、当業者には既知の任意の手段により、上述のように判定されてもよい。
【０１５６】
ナビゲーション視覚支援機能変更は、既定の規則に基づいて選択されてもよく、或いは、装用者の好みに基づいて装用者によって選択されてもよく、或いは、これらの組合せであってもよい。例えば、シースルー頭部装着型装置機能変更のリストを装用者に対して提案することが可能であり、且つ、装用者が、最も適切な変更を選択する。
【０１５７】
ナビゲーション視覚支援機能変更とルートの中間地点の関連付けは、装用者がカスタマイズすることが可能であり、且つ／又は、離れたエンティティからダウンロードすることも可能である。
【０１５８】
離れたエンティティは、ダウンロード用の一般的な装用者プロファイルを提供してもよく、この場合には、ルートに沿った中間地点とカスタマイズされた視覚支援機能変更及び視覚化パラメータ識別子との間の関連付けが提案される。
【０１５９】
更には、カスタマイズは、その他の装用者のグループとの間において共有されてもよい。例えば、同一タイプの眼科欠陥を有する装用者は、画像処理とルートに沿ったジオ位置の関連付けを共有してもよい。
【０１６０】
関連付けステップは、ローカルに実行することができる。ジオ位置及び関連付けられたシースルー頭部装着型装置機能変更は、頭部装着型装置内に配置されたメモリ内において保存される。
【０１６１】
関連付けステップは、リモートで実行することもできる。ジオ位置及び関連付けられたシースルー頭部装着型装置機能変更は、例えば、サーバーなどの離れたエンティティに送信され、且つ、そこで保存される。
【０１６２】
通常、装用者は、都市内をナビゲートしてもよく、且つ、特定の場所を識別する際に、その場所を画像処理などのシースルー頭部装着型装置機能変更と関連付けるように決定してもよい。この結果、前記特定の場所を再度通過する際に、シースルー頭部装着型装置は、選択された変更に基づいて、シースルー頭部装着型装置機能を適合させることになる。
【０１６３】
本発明の一実施形態によれば、装用者によって選択された画像処理などのシースルー頭部装着型装置機能変更は、ジオ位置と自動的に関連付けられ、且つ、記憶されている。
【０１６４】
従って、装用者が更なる移動において同一の場所を通過した際に、予め選択されたシースルー頭部装着型装置機能変更が、自動的に適用されもよく、或いは、少なくとも装用者に対して提案されてもよい。
【０１６５】
シースルー頭部装着型装置機能変更は、仮想的な環境パラメータと更に関連付けられてもよい。この結果、類似の環境パラメータを識別する際に、装用者によって選択されたシースルー頭部装着型装置機能変更が装用者に対して提案されてもよい。
【０１６６】
保存ステップにおいては、ジオ位置及び関連付けられた少なくとも１つのナビゲーション視覚支援機能変更が、装用者の視覚プロファイルと共にデータベースＤＢ内において保存される。
【０１６７】
一実施形態においては、画像データが、サーバー上の画像データベース内において又はローカルに保存されている。
【０１６８】
更には、特定の画像に対するアクセス権限を定義することもできる。従って、画像データが画像データベース内に保存されている場合に、本発明の方法は、任意選択により、アクセス権限に従って、装用者識別子及び前記装用者と画像データの間の関連付けを前記データベース内において事前登録する予備的ステップを有してもよい。装用者識別子は、視覚化パラメータ識別子ＶＰ−ＩＤと同一のものであってもよく、或いは、異なっていてもよい。装用者識別子は、装置ＨＭＤ又はサーバー上に配置された、例えば、ＱＲコード（登録商標）又はＲＦＩＤコードなどのコードであってもよい。この結果、画像データベースとの関連においてアクセス権限の１つ又は複数のレベルを定義することができる。
【０１６９】
以上、実施形態を利用し、全般的な発明概念の限定を伴うことなしに、本発明について説明した。
【０１７０】
上述の例示用の実施形態を参照した際に、当業者には、多くの更なる変更形態及び変形形態が明らかとなろう。これらの例示用の実施形態は、例として付与されたものに過ぎず、且つ、添付の請求項によってのみ判定される本発明の範囲の限定を意図したものではない。
【０１７１】
請求項においては、「有する」という用語は、その他の要素又はステップを排除するものではなく、且つ、「１つ（ａ）」又は「１つ（ａｎ）」という不定冠詞は、複数形を排除するものではない。異なる特徴が相互に異なる従属請求項において記述されているという事実は、それのみによって、これらの特徴の組合せが有利に使用できないことを示すものではない。請求項における任意の符号は、本発明の範囲を限定するものとして解釈されるべきではない。
【図１】
0006600310.tif 000002
【図２】
0006600310.tif 000003
【図３】
0006600310.tif 000004
【図４】
0006600310.tif 000005